(57)【要約】【課題】水洗大便器において、水洗大便器の後端側を強い洗浄水で洗浄可能でありながら、製造性および清掃性に優れた水洗大便器を提供する。【解決手段】水平方向に旋回するように洗浄水を吐水するリム吐水口を備えた水洗便器であって、内側に汚物受け面が形成され下端に排水トラップ管路が形成されたボウル部と、このボウル部の上端に連接されたリム部とを備え、リム部内部に形成され下流端がリム吐水口に連通したリム通水路と、リム部の後方に形成され外部から供給された洗浄水をリム通水路へ供給する導水路とを有し、リム通水路はリム部前端を経由して形成され、リム吐水口から吐水された洗浄水は、リム部後端を経由してリム部前端に向かって旋回する水洗便器において、リム部の内径はボウル部上端の内径以上であり、リム部はボウル部の内側面よりも外側に膨出して形成されている。【選択図】図１
2018053460.tif 000002
【特許請求の範囲】
【請求項１】
水平方向に旋回するように洗浄水を吐水するリム吐水口を備えた水洗大便器であって、
内側に汚物受け面が形成され下端に排水トラップ管路が形成されたボウル部と、この前記ボウル部の上端に連接されたリム部とを備え、
前記リム部内部に形成され下流端が前記リム吐水口に連通したリム通水路と、前記リム部の後方に形成され外部から供給された洗浄水を前記リム通水路へ供給する導水路とを有し、
前記リム通水路は前記リム部前端を経由して形成され、前記リム吐水口から吐水された洗浄水は、前記リム部後端を経由して前記リム部前端に向かって旋回する前記水洗大便器において、
前記リム部の内径は前記ボウル部上端の内径以上であり、前記リム部は前記ボウル部の内側面よりも外側に膨出して形成されている
水洗大便器。
【請求項２】
前記導水路は前記水洗大便器の左右方向の中心から前記リム吐水口側へ向かった後に他方側へ向かって屈曲して形成されている
請求項１に記載の水洗大便器。
【請求項３】
前記リム部の上端において、前記リム吐水口の下流側の一部には上方を覆う板状の庇部が形成されている
請求項１乃至請求項２のいずれか１項に記載の水洗大便器。
【請求項４】
前記リム通水路の前記リム吐水口近傍において、前記リム通水路の外周壁が内側に向かって徐々に曲率が大きくなっている
請求項１乃至請求項３のいずれか１項に記載の水洗大便器。
【発明の詳細な説明】
【技術分野】
【０００１】
本発明は、水平方向に旋回するように洗浄水を吐水するリム吐水口を備えた水洗大便器に関する。
【背景技術】
【０００２】
従来から、水平方向に旋回するように洗浄水を吐水するリム吐水口が知られている。この水洗大便器においては、リム吐水口から吐水された洗浄水がボウル部の内面を旋回しながら洗浄を行うため、リム部の形容がシンプルであり、汚れが溜まり難く、また、清掃製に優れるといったメリットがあり、近年急速に普及してきている。また、リム吐水口から吐水される洗浄水による洗浄性能を向上させるために、前方から後方に向けて洗浄水を吐水するようにして、ボウル部の後端側へ勢いの強い洗浄水を供給することが提案されている（例えば、特許文献１参照）。
【先行技術文献】
【特許文献】
【０００３】
【特許文献１】特開２０１０−２５５３１６号公報
【発明の概要】
【発明が解決しようとする課題】
【０００４】
この特許文献１に記載されている水洗大便器においては、リム通水路はリム部の前端を経由して形成され、リム吐水口から吐水された洗浄水は、リム部後端を経由してリム部前端に向かって旋回するため、リム部後端に勢いの強い洗浄水を供給可能であり、水洗大便器の後端側に付着した用便時の汚物の洗浄性能を向上させることができるが、リム通水路が内部に形成されているリム部がボウル部の内側に向かって膨出するように形成されているため、ボウル部の内径よりもリム部の内径の方が小さくなっており、そのため、リム部とボウル部とを一体で成型することができず、リム部とボウル部とを別々に成型した後で接着させる必要があり、製造工数が増え、また、リム通水路の底面が上方から隠れるため、そのリム通水通水路の底面に付着した汚れの清掃が面倒であるといった問題があった。
【０００５】
本発明は、上述した課題を解決するためになされたものであり、水洗大便器の後端側を強い洗浄水で洗浄可能でありながら、製造性および清掃性に優れた水洗大便器を提供することを目的とする。
【課題を解決するための手段】
【０００６】
上記目的を達成するために、本発明に係る水洗便器においては、水平方向に旋回するように洗浄水を吐水するリム吐水口を備えた水洗便器であって、内側に汚物受け面が形成され下端に排水トラップ管路が形成されたボウル部と、このボウル部の上端に連接されたリム部とを備え、リム部内部に形成され下流端がリム吐水口に連通したリム通水路と、リム部の後方に形成され外部から供給された洗浄水をリム通水路へ供給する導水路とを有し、リム通水路はリム部前端を経由して形成され、リム吐水口から吐水された洗浄水は、リム部後端を経由してリム部前端に向かって旋回する水洗便器において、リム部の内径はボウル部上端の内径以上であり、リム部はボウル部の内側面よりも外側に膨出して形成されていることを特徴としている。
【０００７】
この構成によれば、リム部の内径はボウル部上端の内径以上であり、リム部はボウル部の内側面よりも外側に膨出しけ形成されているため、リム部の内面とボウル部の内側面とを成型する上型を上方に引き抜くことが可能となり、この上型と左右の横型と下型によってボウル部とリム部とを一体成型することが可能であり、製造性を向上させることができる。
また、リム部の内径はボウル部上端の内径以上であるため、上面視においてボウル部とリム部の内面が全て露出するため、清掃性に優れた水洗大便器を提供することができる。
【０００８】
また、本発明に係る水洗大便器において、好ましくは、導水路は水洗大便器の左右方向の中心からリム吐水口側へ向かった後に他方側へ向かって屈曲して形成されている。
【０００９】
この構成によれば、導水路とリム通水路の入口における曲がりを押さえることができ、導水路からリム通水路へとスムーズに流れ込むため、リム通水路を流れる洗浄水の流量を大きくすることができ、リム吐水口からボウル部を旋回してボウル部を洗浄するために好適な水勢と流量を確保した吐水を行うことができる。
【００１０】
また、本発明に係る水洗大便器において、好ましくは、リム部の上端において、リム吐水口の下流側の一部には上方を覆う板状の庇部が形成されている。
【００１１】
この構成によれば、リム吐水口から吐水された初期の洗浄水は水勢と水量が大きく、リム部上端から飛散する虞があるが、庇部によってその飛散を防ぐことができる。（また、庇部はリム部の一部に形成すればよいので、水栓大便器を型によって成型後に、板状の部材を貼り付けることで形成可能であり、成型の型を変更することなく製造可能である。）
【００１２】
また、本発明に係る水洗大便器において、好ましくは、リム通水路のリム吐水口近傍において、リム通水路の外周壁が内側に向かって徐々に曲率が大きくなっている。
【００１３】
この構成によれば、リム通水路を流れる洗浄水のうち、遠心力によって流速が増すリム通水路の外周壁に沿った流れをリム吐水口よりも下流側のリム部の内側に向かって徐々に方向変更させることができ、リム吐水口から吐水された洗浄水がリム部の内側に沿ってスムーズに旋回させることができ、水飛びを抑えた旋回流を形成させることができる。
【発明の効果】
【００１４】
本発明によれば、上型と左右の横型と下型によってボウル部とリム部とを一体成型することが可能であり、製造性を向上させることができると共に、上面視においてボウル部とリム部の内面が全て露出するため、リム部とボウル部との接合による凹凸が無いことと相俟って清掃性に優れた水洗大便器を提供することができる。
【図面の簡単な説明】
【００１５】
【図１】図１の水洗大便器の上面図である。
【図２】図１の水洗大便器のＡ−Ａ線における断面図である。
【図３】図２の水洗大便器のＢ−Ｂ線における断面図である。
【図４】図１の水洗大便器のＣ−Ｃ線における断面図である。
【図５】図１の水洗大便器のＤ−Ｄ線における断面図である。
【図６】図１に示す領域Ｅの拡大図である。
【図７】本発明の一実施形態に係る水洗大便器の水の流れを表した模式図である。
【発明を実施するための形態】
【００１６】
以下、本発明の実施の形態について添付図面を参照しながら説明する。なお、各図面中、同様の構成要素には同一の符号を付して詳細な説明は適宜省略する。
【００１７】
まず、図１〜図７を参照して、本発明の一実施形態に係る水洗大便器について説明する。なお、以下においては、図中に示す方向を用いて説明する。
【００１８】
図１は、本発明の一実施形態に係る水洗大便器の上面図である。図２は、図１のＡ−Ａ線に沿って見た断面図である。図３は、図２のＢ−Ｂ線に沿って見た断面図である。図４は、図１のＣ−Ｃ線に沿って見た断面図である。図５は、図１のＤ−Ｄ線に沿って見た断面図である。図６は図１に示す領域Eの拡大図である。図７は本発明の一実施形態に係る水洗大便器の水の流れを表した模式図である。
【００１９】
<水洗大便器１の外部概要>
図１及び図２に示すように、水洗大便器１は陶器等からなる便器本体２と洗浄水源であるタンク装置４とを備えている。タンク装置４は、便器本体２の後方側の上方に載置されており、上水道の給水源（図示せず）に接続されている。このタンク装置４の操作レバーやリモコン（図示せず）等が操作されると、タンク装置４から便器本体２の中方後方側の上面に開口した給水口６へ洗浄水が供給される。
なお、本実施形態においては、タンク装置４が給水装置としての機能を果たす。
【００２０】
<便器本体１の内部概要>
便器本体２の前方側には、内部に汚物等が排出されるボウル部８が形成されており、このボウル部８の下方には、溜水部１０が形成されている。溜水部１０には、所定量の溜水が形成されている。なお、図２に示す水位Ｗ０は、溜水の初期水位である。この溜水部１０の下端には、水洗大便器１の外部へ汚物等を排出するための排水トラップ管路１２の入口１２ａが接続されている。排水トラップ管路１２は、その入口１２ａから後方へと延び、その出口１２ｂが床面に設置された排出管（図示せず）に接続されている。
【００２１】
<ボウル部８の概要>
ボウル部８は、上面視において、全体として略卵形状を有している。またボウル部８は、ボウル形状の汚物受け面１４と、汚物受け面１４の上端から略水平面上に延びる棚部１５と、棚部１５の上端に沿って連接して形成されるリム部１６と、リム部１６の内部に形成されて洗浄水を導くリム通水路１８とを有する。
【００２２】
<汚物受け面１４の概要>
汚物受け面１４は、その下縁部から上縁部に向かって、徐々に広がっていくようにテーパ形状に形成されている。言い換えると、縦方向断面における汚物受け面１４が、汚物受け面１４の下縁部から上縁部に向かって徐々に拡大するように形成されている。（図２参照）そして、汚物受け面１４に連続するように形成されている棚部１５は、その外周部よりも内周部の方が低くなるように傾斜して形成されている。このため、棚部１５の棚面に沿って流れる洗浄水を棚部１５の旋回経路各部で汚物受け面１４に流し落とすことができる。
【００２３】
<リム部１６の概要>
図３、図４及び図５に示すように、リム部１６は、棚部１５の上端に沿って環状に形成されており、その内部にはリム通水路１８が形成されている。また、リム部１６は、その内周側の壁部であるリム内側壁２０と、外周側の壁部であるリム外側壁２２と、上側の壁部であるリム上側壁２４と、下側の壁部であるリム下側壁２６とを有しており、これらによって区画された空間内が、リム通水路１８となっている。
【００２４】
<リム通水路１８の概要>
リム通水路の上流側は、後述する導水路３２に接続されている。このリム通水路１８は上流側端部からリム部１６に沿ってリム部前端を経由してリム部後端に向かって形成されており、リム通水路１８の下流側端部には、リム通水路１８内を流れる洗浄水をリム部後端を経由してリム部前端に向かって水平方向に旋回するように吐水するリム吐水口３０が連通するように形成されている。
【００２５】
リム下側壁２６は、棚部１５の上端から外周方向に向かって延びるように形成されており、その外周端部から上方に向かってリム外側壁２２が延びている。また、リム外側壁２２の上端部から内周方向（上面視においてリム部１６から汚物受け面１４に向かう方向）に向かって水平にリム上側壁２４が延びている。そして、リム上側壁２４の内周端部から下方に向かって、リム内側壁２０が延びている。つまり、リム通水路１８の流路断面において、リム部１６は、リム下側壁２６、リム外側壁２２、リム上側壁２４、及びリム内側壁２０により略矩形形状をなす。
【００２６】
<製造性良くする為の構成>
また、リム内側壁２０の下端は、棚部１５の上端よりもリム部１６の外周側に位置する。言い換えると、リム部１６の内径はボウル部８の上端の内径以上であり、リム部１６はボウル部８の内側面よりも外側に膨出するように形成されている。また、リム内側壁２０の上端は、リム内側壁２０の下端よりもリム部１６の外周側に位置する。言い換えると、リム内側壁２０は、その下端から上端に向かって徐々に内径が広くなっていくようなテーパ形状に形成されている。つまり、上面視においてリム部１６の内面であるリム内側壁２０が全て露出している。
さらに、リム内側壁２０の下端が棚部１５の上端よりもリム部１６の外周側に位置し、リム内側壁２０の上端がリム内側壁２０の下端よりもリム部１６の外周側に形成されることによって、便器本体２の上面とリム部１６の内面及びボウル部８の内側面に適合した上型を単一に形成することが可能となる。そのため、本発明における便器本体２は、リム内側壁２０とリム上側壁２４とを形成する上型と、便器本体２の下面の形状に適合した形状を有している底型と、便器本体２の側方の壁壁面に適合した形状を有しており、リム外側壁２２とリム下側壁２６とを形成する右側型及び左側型との上下左右の４つの型構成のみで便器本体２を成型することができる。リム吐水口３０は便器本体２を成型後、切り抜くことで形成される。
さらに、前述したように、上面視においてリム部１６のリム内側壁２０が全て露出していることと、リム部とボウル部との接合による凸凹が無いことが相俟って清掃製に優れた水洗大便器を提供することができる。
【００２７】
<リム通水路１８が傾斜していることの説明>
リム外側壁２２とリム下側壁２６との接続部分は、棚部１５の上端とリム下側壁２６との接続部分よりも上方の位置に形成されている。つまり、リム下側壁２６は、リム部１６の外周側から内周側に向かって下方に傾斜している。言い換えると、リム通水路１８の流路下面を形成しているリム下側壁２６の上面は、リム部１６から棚部１５に向かう方向に下方に傾斜している。
【００２８】
<リム吐水口３０の概要>
図６に示すように、リム通水路１８の下流側端部に形成されたリム吐水口３０の上方には、リム吐水口３０から吐水された洗浄水がリム部１６の上端側から外に飛散することを防ぐ為にリム部１６の内側方向に向かって覆うように板状の庇部３１が形成されている。
また、庇部３１はリム部の一部に形成すれば良いので水洗大便器１を型によって成型後に板状の部材を貼り付ければ形成可能である為、成型の型を変更することなく製造可能である。
【００２９】
また、リム吐水口３０の近傍においては、リム通水路１８のリム外側壁２２がリム部１６の内周側に向かって徐々に曲率が大きくなっており、リム通水路のリム内側壁２０は洗浄水を汚物受け面に向かって流す吐水口としての機能を果たす為に開口している。
【００３０】
<導水路３２の概要>
便器本体２の後方側上部には、給水口６から前方に向かって延びてリム通水路１８に接続する導水路３２が形成されている。つまり、給水口６へ流入した洗浄水は、この導水路３２を通ってリム通水路１８に流れる。また、給水口６から前方に向かって延びる導水路３２は、その経路部分として、給水口６から便器本体２の左右方向の中心のうち右側へと延びる上流側水路部３４と、この上流側水路部３４から左右方向の中心のうち左側へと延びる下流側水路部３６とを有している。言い換えると、導水路３２は、上面視において、上流側水路部３４及び下流側水路部３６とにより、全体として「く」の字形状（他の例示としては、ブーメラン形状、又は、Ｌ字を傾けた形状）を有している。本実施形態においては、上流側水路部３４は給水口６からリム吐水口３０がある便器本体２の左斜め前方へと延びており、下流側水路部３６は、上流側水路部３４の下流端部から右斜め前方へと延びている。このように、左右略中央に位置する給水口６から前方に向かって延びる導水路３２は、左前側に一端屈曲してから右前側に延設され、リム通水路１８に接続している。
【００３１】
下流側水路部３６の下流端部は、リム通水路１８の上流側端部、つまり、リム部１６の右後方端部に接続されている。また、下流側水路部３６は、上面視において、リム通水路１８の上流端部における接線と略重なるように形成されている。つまり、上面視で全体として略卵型形状に沿うリム通水路１８の右側後部に対し、後側から前側にかけて右斜め方向に略直線状に延びる下流側水路部３６が、その流路方向をリム通水路１８の環状の流路方向に対して接線方向に連続させるように設けられている。さらに、下流側水路部３６の水路の長さは、上流側水路部３４の水路長さよりも長くなるように形成されている。
【００３２】
このように導水路３２は、給水口６からリム通水路１８に対する接続箇所に対して直接的に延設されず、迂回路としての上流側水路部３４を介してから、リム通水路１８に対して接線方向に繋がる下流側水路部３６をリム通水路１８に接続されている。これにより、リム通水路１８に対して接線方向に繋がる下流側水路部３６の経路長を長くすることができ、下流側水路部３６からリム通水路１８に旋回しようとする流れが形成されやすくなる。そのため、リム通水路１８を旋回しようとする洗浄水の勢いの流れを強めることができる。
【００３３】
＜動作及び作用＞
次に、本発明の一実施形態に係る水洗大便器の動作及び作用について説明する。
【００３４】
図７は、本発明の一実施形態に係る水洗大便器の水の流れを表した模式図である。
【００３５】
図７に示すように、タンク装置４から便器本体２の給水口６へ排出された洗浄水は、導水路３２の上流側水路部３４へ流入する。導水路３２の上流側水路部３４を流れる洗浄水は、便器本体２の左右方向の一方側（本実施形態では、左斜め前方）に向かって流れた後、方向を変えて下流側水路部３６に流れる。上流側水路部３４から下流側水路部３６へ方向を変えて流れる洗浄水は、便器本体２の左右方向の他方側（本実施形態では、右斜め前方）に向かって上流側水路部３４の経路長に対して比較的長い経路に渡って導かれる。そして、下流側水路部３６において、比較的長い経路に渡って導かれた洗浄水は、リム通水路１８へ流れて旋回流を形成する。
【００３６】
このように、洗浄水が給水口６から便器本体２の左右方向のうち一方向へと延びる上流側水路部３４から、方向を変えて下流側水路部３６へ流入し、下流側水路部３６に沿って左右方向のうち他方側へと比較的長い長さに渡って導かれる。これにより、下流側水路部３６からリム通水路１８に向かって流入する洗浄水の勢いが強められ、さらにリム通水路１８を旋回する流れが形成されやすくなる。そのため、リム通水路１８を旋回しようとする洗浄水の勢いを強めることができ、ボウル部８を十分に洗浄することが出来る。
【００３７】
リム通水路１８へ導かれた洗浄水は、リム部１６に沿って上面視で反時計回りの方向に一周するような旋回流を形成しながら流れ、リム吐水口３０から汚物受け面１４の後端側に向かって吐水され棚部１５の棚面に沿って流れ、棚部１５の旋回経路各部で汚物受け面１４に流し落とされ汚物受け面１４を旋回しながら洗浄する。
【００３８】
また、リム吐水口３０の上方にはリム部１６の上縁側からリム部１６の内側方向に向かって覆うように板状の庇部３１が形成されているため、ボウル部８を流れる洗浄水がボウル部８の外へ飛散してしまうことが抑制される。
さらに、リム通水路１８の流路下面を形成しているリム下側壁２６の上面は、リム部１６から汚物受け面１４に向かう方向に下方に傾斜しているため、リム吐水口３０から吐水される洗浄水がなるべくリム部１６の上縁側にいかないようにし、且つ、リム吐水口３０の近傍でリム通水路１８のリム外側壁２２がリム部１６の内周側に向かって徐々に曲率が大きくなっているため、言い換えると、リム通水路１８のリム外側壁２２がリム部１６の内周側に向かって張り出した構造となっているため、遠心力によって流速が増すリム通水路１８のリム外側壁２２に沿って流れる洗浄水をすぐに汚物受け面１４に向かって傾斜している棚部１５に落とすことができる。これにより、洗浄水が汚物受け面１４をスムーズに旋回することができ、水飛びを抑えた旋回流を形成することができる。
【００３９】
<変形例>
以上、本発明の実施形態について説明したが、本発明は上述した実施形態に限定されるものではない。
【００４０】
たとえば汚物受け面１４に形成される旋回流が反時計回りに旋回する構成を説明したが、汚物受け面１４に形成される旋回流が時計回りに旋回するように便器本体２を形成しても良い。
【００４１】
また、便器本体２は例えば樹脂等によって形成されていても良い。
【００４２】
また、導水路３２は給水口６から便器本体２の左右方向の中心のうち左側方向へと延びる上流側水路部３４と、この上流側水路部から右側方向へと延びる下流側水路部３６とを有している構成を説明したが、上流側水路部３４が右側方向へ延び、下流側水路部３６が左側方向へ延びる構成としても良い。
【００４３】
また、リム吐水口３０は図においてボウル部８の前後方向中間よりも後方に位置しているが、導水路３２が洗浄水を旋回させるように形成しているため、リム吐水口をボウル部８の前後方向中間よりも前方に位置させても、一番汚れがつきやすい汚物受け面１４の後方に勢い良く吐水され汚れを確実に落とせるので、リム吐水口３０は上記の位置に限定されるものではない。
【００４４】
前述した各実施の形態が備える各要素は、技術的に可能な限りにおいて組み合わせることができ、これらを組み合わせたものも本発明の技術を含む限り本発明の範囲に包含される。
【符号の説明】
【００４５】
１  水洗大便器
２  便器本体
４  タンク装置
６  給水口
８  ボウル部
１０  溜水部
１２  排水トラップ管路
１２ａ  入口
１２ｂ  出口
１４  汚物受け面
１５  棚部
１６  リム部
１８  リム通水路
２０  リム内側壁
２２  リム外側壁
２４  リム上側壁
２６  リム下側壁
３０  リム吐水口
３１  庇部
３２  導水路
３４  上流側水路部
３６  下流側水路部
Ｗ０  初期水位
【図１】
2018053460.tif 000003
【図２】
2018053460.tif 000004
【図３】
2018053460.tif 000005
【図４】
2018053460.tif 000006
【図５】
2018053460.tif 000007
【図６】
2018053460.tif 000008
【図７】
2018053460.tif 000009